(57)【要約】【課題】画像に対して素早く容易に処理の設定を行うことができる表示装置を提供する。【解決手段】表示装置１０は、表示部２０と、検出部３０と、記憶部４０と、制御部５０とを備える。表示部２０は、表示面２２を有する。表示部２０は、少なくとも１つの画像を表示する。検出部３０は、表示面２２に対する被検出物の接触位置を検出する。記憶部４０は、複数の方向候補のそれぞれに処理項目に対する複数の処理設定のうちの１つを対応づけて記憶する。制御部５０は、所定の方向への被検出物の接触位置の変化に基づいて所定操作が行われたことを判定する。制御部５０は、所定の方向を所定操作方向と決定する。複数の処理設定は、画像に対して行う処理に関する設定である。制御部５０は、画像に対して所定操作が行われたことを判定した際、所定操作方向に対応づけられた処理設定に基づき画像に対する処理の設定を行う。【選択図】図２
2018121275.tif 000002
【特許請求の範囲】
【請求項１】
表示面を有し、少なくとも１つの画像を表示する表示部と、
前記表示面に対する被検出物の接触位置を検出する検出部と、
複数の方向候補のそれぞれに処理項目に対する複数の処理設定のうちの１つを対応づけて記憶する記憶部と、
所定の方向への前記被検出物の接触位置の変化に基づいて所定操作が行われたことを判定し、前記所定の方向を所定操作方向と決定する制御部と
を備え、
前記複数の処理設定は、前記画像に対して行う処理に関する設定であり、
前記制御部は、前記画像に対して前記所定操作が行われたことを判定した際、前記所定操作方向に対応づけられた前記処理設定に基づき前記画像に対する処理の設定を行う、表示装置。
【請求項２】
前記処理項目は、前記画像の送信先、前記画像の保存先、または前記画像の出力カラーのうちの少なくとも１つを含む、請求項１に記載の表示装置。
【請求項３】
前記記憶部は、前記画像の特定の位置を示す表示指定領域をさらに記憶し、
前記制御部は、前記表示指定領域に基づいて前記画像の特定の部分を切り取って拡大し前記表示部に表示させる、請求項１または請求項２に記載の表示装置。
【請求項４】
前記処理項目は、第１処理項目と第２処理項目とを含み、
前記記憶部は、前記複数の方向候補のそれぞれに前記第１処理項目に対する複数の第１処理設定のうちの１つを対応づけて記憶し、前記複数の方向候補のそれぞれに前記第２処理項目に対する複数の第２処理設定のうちの１つを対応づけて記憶し、
前記制御部は、前記画像に対して第１所定操作が行われたことを判定した際、第１所定操作方向に対応づけられた前記第１処理設定に基づき前記画像に対する処理の設定を行い、前記第１所定操作が行われた後に、前記画像に対して第２所定操作が行われたことを判定した際、第２所定操作方向に対応づけられた前記第２処理設定に基づき前記画像に対する処理の設定を行う、請求項１から請求項３のいずれか１項に記載の表示装置。
【請求項５】
前記少なくとも１つの画像は、複数の画像を含み、
前記制御部は、前記複数の画像のうち１つの画像を処理対象画像として前記表示部に表示させ、
前記制御部は、前記処理対象画像に対して前記所定操作が行われたことを判定した際、前記所定操作方向に対応づけられた前記処理設定に基づき前記処理対象画像に対する処理の設定を行う、請求項１から請求項４のいずれか１項に記載の表示装置。
【請求項６】
前記制御部は、前記処理対象画像に対する処理の設定が完了すると、複数の前記画像のうち処理の設定が完了していない１つの画像を新たな処理対象画像として前記表示部に表示させる、請求項５に記載の表示装置。
【請求項７】
前記少なくとも１つの画像は、複数の画像を含み、
前記制御部は、前記複数の画像を前記表示部に表示させ、前記複数の画像のうち前記所定操作が行われたことを判定した画像を処理対象画像と決定し、
前記制御部は、前記処理対象画像に対して前記所定操作が行われたことを判定した際、前記所定操作方向に対応づけられた前記処理設定に基づき前記処理対象画像に対する処理の設定を行う、請求項１から請求項４のいずれか１項に記載の表示装置。
【請求項８】
請求項１から請求項７のいずれか１項に記載の表示装置と、
少なくとも１つの原稿の画像を読み取り、画像データを取得する画像読取部と
を備え、
前記制御部は、前記画像データに含まれる画像を前記表示部に表示する、画像読取装置。
【請求項９】
前記画像読取部は、複数の前記原稿の画像を連続して読み取り、前記画像データを取得し、
前記制御部は、前記画像データに含まれる画像を処理対象画像として決定する、請求項８に記載の画像読取装置。
【請求項１０】
前記画像読取部は、複数の前記原稿の画像を一度に読み取り前記画像データを取得し、
前記制御部は、前記画像データに含まれる原稿画像を抽出し、前記原稿画像を処理対象画像として決定する、請求項８または請求項９に記載の画像読取装置。
【発明の詳細な説明】
【技術分野】
【０００１】
本発明は、表示装置および画像読取装置に関する。
【背景技術】
【０００２】
原稿を読みとった画像に対して各種の処理の設定を行うことができる画像読取装置がある（例えば、特許文献１）。特許文献１に記載の画像形成装置は、読み取った画像のサムネイル画像を表示し、サムネイル画像に対してタッチペンを用いて直感的に画像に対して各種の設定を行うことができる。詳しくは、出力イメージ操作領域に原稿アイコンをドラックアンドドロップし、タッチペンで用紙領域を指定し、タッチペンでパンチ・ステーブルの位置を入力することによってパンチ・ステーブルの位置の設定を行うことができる。
【先行技術文献】
【特許文献】
【０００３】
【特許文献１】特開２００９−１１６７８９号公報
【発明の概要】
【発明が解決しようとする課題】
【０００４】
しかしながら、特許文献１に記載の画像形成装置では、画像に対する設定を行うために手順が多く、さらにタッチペンによる入力が必要であるため、画像に対して素早く容易に処理の設定を行うことが困難であった。特に、複数の画像に対して個別に処理の設定を行うことが困難であった。
【０００５】
本発明は上記課題に鑑みてなされたものであり、その目的は画像に対して素早く容易に処理の設定を行うことができる表示装置および画像読取装置を提供することにある。
【課題を解決するための手段】
【０００６】
本発明に係る表示装置は、表示部と、検出部と、記憶部と、制御部とを備える。前記表示部は、表示面を有する。前記表示部は、少なくとも１つの画像を表示する。前記検出部は、前記表示面に対する被検出物の接触位置を検出する。前記記憶部は、複数の方向候補のそれぞれに処理項目に対する複数の処理設定のうちの１つを対応づけて記憶する。前記制御部は、所定の方向への前記被検出物の接触位置の変化に基づいて所定操作が行われたことを判定する。前記制御部は、前記所定の方向を所定操作方向と決定する。前記複数の処理設定は、前記画像に対して行う処理に関する設定である。前記制御部は、前記画像に対して前記所定操作が行われたことを判定した際、前記所定操作方向に対応づけられた前記処理設定に基づき前記画像に対する処理の設定を行う。
【０００７】
本発明に係る画像読取装置は、上記に記載の表示装置と、画像読取部とを備える。前記画像読取部は、少なくとも１つの原稿の画像を読み取り、画像データを取得する。前記制御部は、前記画像データに含まれる画像を前記表示部に表示する。
【発明の効果】
【０００８】
本発明によれば画像に対して素早く容易に処理の設定を行うことができる。
【図面の簡単な説明】
【０００９】
【図１】本発明の実施形態に係る画像形成装置を示す模式図である。
【図２】本発明の実施形態に係る表示装置を示すブロック図である。
【図３】本発明の実施形態に係る表示装置を示す模式図である。
【図４】（ａ）は、記憶部に記憶されている処理設定を示す。（ｂ）は、本発明の実施形態に係る表示装置を示す模式図である。
【図５】（ａ）および（ｂ）は、本発明の実施形態に係る表示装置を示す模式図である。
【図６】本発明の実施形態に係る画像読取装置の処理の設定方法を示すフローチャートである。
【図７】本発明の実施形態に係る表示装置の処理の設定結果を示す模式図である。
【図８】（ａ）は、画像を示す模式図である。（ｂ）は、本発明の実施形態に係る表示装置を示す模式図である。
【図９】（ａ）は、原稿台に載置された原稿を示す模式図である。（ｂ）は、画像読取部によって取得された画像データを示す模式図である。（ｃ）は、原稿画像を示す模式図である。
【図１０】（ａ）は、記憶部に記憶されている処理設定を示す。（ｂ）は、本発明の実施形態に係る表示装置を示す模式図である。
【図１１】本発明の実施形態に係る画像読取装置の処理の設定方法を示すフローチャートである。
【図１２】本発明の実施形態に係る表示装置を示す模式図である。
【発明を実施するための形態】
【００１０】
以下、本発明の実施形態について、図面を参照しながら説明する。なお、図中、同一または相当部分については同一の参照符号を付して説明を繰り返さない。
【００１１】
図１を参照して本発明に係る画像形成装置２００の実施形態を説明する。図１は、本発明の実施形態に係る画像形成装置２００を示す模式図である。
【００１２】
図１に示すように、画像形成装置２００は、画像読取装置１００と、画像形成部１４０とを備える。画像読取装置１００は、表示装置１０と、原稿搬送装置１１０と、原稿台１２０と、画像読取部１３０とを有する。画像形成部１４０は、作像部１５０と、給紙カセット１６０と、用紙搬送部１７０と、用紙排出部１８０とを有する。
【００１３】
画像読取部１３０は、原稿Ｍに形成された画像を読み取り、画像データを取得する。詳しくは、画像読取部１３０は、原稿搬送装置１１０によって搬送された原稿Ｍに形成された画像、または、原稿台１２０に載置された原稿Ｍに形成された画像を読み取り、画像データを取得する。原稿搬送装置１１０は、連続して原稿を搬送することができる。
【００１４】
作像部１５０は、画像読取部１３０によって読み取られた画像データに基づいて被記録媒体Ｐに画像を形成する。
【００１５】
印刷を行う際、給紙カセット１６０内の被記録媒体Ｐは、作像部１５０を経由して用紙排出部１８０から排出されるように、用紙搬送部１７０によって搬送される。
【００１６】
表示装置１０は、画像データに含まれる画像を縮小して表示する。本明細書において、縮小して表示された画像をサムネイル画像と記載することがある。ユーザーは表示装置１０に表示されたサムネイル画像によって画像データに含まれる画像を確認することができる。
【００１７】
図２〜図５を参照して本発明に係る表示装置１０の実施形態を説明する。図２は、本発明の実施形態に係る表示装置１０を示すブロック図である。図３は、本発明の実施形態に係る表示装置１０を示す模式図である。図４（ａ）は、記憶部４０に記憶されている処理設定を示す。図４（ｂ）は、本発明の実施形態に係る表示装置１０の模式図である。図５（ａ）および図５（ｂ）は、本発明の実施形態に係る表示装置１０を示す模式図である。図４（ｂ）には、方向候補と処理設定との対応付けが記載されている。
【００１８】
図２に示すように、表示装置１０は、表示部２０と、検出部３０と、記憶部４０と、制御部５０とを有する。
【００１９】
図３に示すように、表示装置１０は、操作キー６０をさらに有する。
【００２０】
表示部２０は、表示面２２を有する。表示部２０は、画像ｓｎ１を表示する。画像ｓｎ１は、例えば、サムネイル画像である。表示部２０は、例えば、液晶パネルである。
【００２１】
検出部３０は、表示面２２に対する被検出物の接触位置を検出する。検出部３０は、例えば、タッチセンサーである。被検出物は、例えば、表示装置１０を操作するユーザーの指またはタッチペンである。以下、本明細書において、被検出物として、表示装置１０を操作するユーザーの指を例に挙げて説明する。
【００２２】
図４（ａ）に示すように、記憶部４０は、複数の方向候補のそれぞれに処理項目に対する複数の処理設定のうちの１つを対応づけて記憶する。複数の方向候補および複数の処理設定は、予め記憶されている。方向候補は、例えば、「上」、「左」、「右」、「下」である。処理項目は、例えば、「画像の送信先」、「画像の保存先」または「画像の出力カラー」である。詳しくは、「画像の送信先」は、例えば、画像のデータが送信されるユーザーが誰かを示す。「画像の保存先」は、例えば、記憶部４０に予め作成されている個人用のフォルダーを示す。「画像の出力カラー」は、例えば、「カラー」、「モノクロ」、または「グレー」のように出力される画像の色を示す。複数の処理設定は、画像に対して行う処理に関する設定である。本実施形態では、処理項目は、「画像の送信先」である。本実施形態では、処理設定は、「ＰＣ＿Ａ」、「ＰＣ＿Ｂ」および「ＰＣ＿Ｃ」である。「ＰＣ＿Ａ」は、画像が送信されるユーザーがユーザーＡであることを示す。「ＰＣ＿Ｂ」は、画像が送信されるユーザーがユーザーＢであることを示す。「ＰＣ＿Ｃ」は、画像が送信されるユーザーがユーザーＣであることを示す。
【００２３】
図４（ｂ）に示すように、方向ＤＵ、すなわち上方向には、送信先「ＰＣ＿Ａ」が対応づけられている。方向ＤＬ、すなわち左方向には、送信先「ＰＣ＿Ｂ」が対応づけられている。方向ＤＲ、すなわち右方向には、送信先「ＰＣ＿Ｃ」が対応づけられている。なお、図４（ｂ）において、方向ＤＵを示す矢印、方向ＤＬを示す矢印、方向ＤＲを示す矢印、文字「ＰＣ＿Ａ」、文字「ＰＡ＿Ｂ」および文字「ＰＣ＿Ｃ」は、表示部２０には実際に表示されていない。ただし、ユーザーの操作の理解を助けるために、ガイド表示として矢印および文字を表示部２０に表示させてもよい。
【００２４】
なお、下方向を画像削除に対応づけて、下方向に操作されることによって、不要な画像データを削除するようにしてもよい。
【００２５】
制御部５０は、所定の方向への被検出物の接触位置の変化に基づいて、所定操作が行われたことを判定する。所定操作は、例えば、フリック操作またはスワイプ操作である。フリック操作とは、例えば、ユーザーが表示面２２上を指１本で触れて、表示面２２を弾くように素早く動かす操作である。スワイプ操作とは、例えば、ユーザーが表示面２２上を指１本で触れて、表示面２２をなぞるように動かす操作である。以下、本明細書において、所定操作として、フリック操作を例に挙げて説明する。制御部５０は、所定の方向をフリック操作方向（所定操作方向）と決定する。すなわち、制御部５０は、表示面２２をユーザーが指で弾いた方向をフリック操作方向と決定する。フリック操作方向は、例えば、「上」、「左」、「右」、「下」である。
【００２６】
制御部５０は、画像に対してフリック操作が行われたことを判定した際、フリック操作方向に対応づけられた処理設定に基づき画像に対する処理の設定を行う。例えば、ユーザーがサムネイル画像ｓｎ１に対して画像の送信先をＰＣ＿Ａに設定したい場合、図５（ａ）に示すように、ユーザーは方向ＤＵ（上方向）へフリック操作を行う。制御部５０は、サムネイル画像ｓｎ１に対してフリック操作が行われたことを判定し、方向ＤＵ（上方向）に対応づけられた「ＰＣ＿Ａ」を画像の送信先として設定する。同様に、ユーザーがサムネイル画像ｓｎ２に対して画像の送信先をＰＣ＿Ｂに設定したい場合、図５（ｂ）に示すように、ユーザーは方向ＤＬ（左方向）へフリック操作を行う。制御部５０は、サムネイル画像ｓｎ２に対してフリック操作が行われたことを判定し、方向ＤＬ（左方向）に対応づけられた「ＰＣ＿Ｂ」を画像の送信先として設定する。
【００２７】
以上、図１〜図５を参照して説明したように、表示装置１０において、制御部５０は、画像に対して所定操作（フリック操作）が行われたことを判定した際、所定操作方向（フリック操作方向）に対応づけられた処理設定に基づき画像に対する処理の設定を行う。したがって、画像に対して素早く容易に処理の設定を行うことができる。
【００２８】
図１、図２および図５〜図７を参照して、本発明の実施形態に係る画像読取装置１００の処理の設定方法について説明する。図６は、本発明の実施形態に係る画像読取装置１００の処理の設定方法を示すフローチャートである。図７は、本発明の実施形態に係る表示装置１０の処理の設定結果を示す模式図である。図６に示すステップＳ１０２〜ステップＳ１１２の処理が実行されることによって、複数の画像に対して個別に処理の設定が行われる。以下、５枚の原稿の画像に対して処理の設定を行う場合について説明する。
【００２９】
ステップＳ１０２：複数の原稿の画像を読み取る。詳しくは、原稿搬送装置１１０によって複数の原稿Ｍを連続して搬送する。そして、画像読取部１３０が複数の原稿Ｍに形成された画像を読み取り、画像データを取得する。画像データには、複数の画像が含まれる。処理は、ステップＳ１０４に進む。
【００３０】
ステップＳ１０４：処理対象画像を表示する。詳しくは、図５（ａ）に示すように、ステップＳ１０２において画像読取部１３０が取得した複数の画像のうち１枚目の原稿に対応する画像のサムネイル画像ｓｎ１を処理対象画像として表示部２０に表示する。処理はステップＳ１０６に進む。
【００３１】
ステップＳ１０６：制御部５０は、フリック操作が行われたか否かを判定する。制御部５０が、フリック操作が行われたと判定しなかった場合（ステップＳ１０６：Ｎｏ）、処理はステップＳ１０６に戻る。制御部５０が、フリック操作が行われたと判定した場合（ステップＳ１０６：Ｙｅｓ）、処理はステップＳ１０８に進む。
【００３２】
ステップＳ１０８：制御部５０は、フリック操作方向に対応づけられた処理設定に基づき処理対象画像に対する処理の設定を行う。詳しくは、図５（ａ）に示すように、ユーザーが方向ＤＵ（上方向）へフリック操作をした場合、制御部５０は、方向ＤＵ（上方向）に対応づけられた「ＰＣ＿Ａ」を画像の送信先として設定する。処理はステップＳ１１０に進む。
【００３３】
ステップＳ１１０：制御部５０は、全ての画像に対して処理の設定が完了したか否かを判定する。制御部５０が、全ての画像に対して処理の設定が完了していないと判定した場合（ステップＳ１１０：Ｎｏ）、処理はステップＳ１１２に進む。制御部５０が、全ての画像に対して処理の設定が完了したと判定した場合（ステップＳ１１０：Ｙｅｓ）、処理は終了する。
【００３４】
ステップＳ１１２：制御部５０は、新たな処理対処画像を表示する。詳しくは、制御部５０は、複数の画像のうち処理の設定が完了していない１つの画像を新たな処理対象画像として表示部２０に表示させる。ここでは、図５（ｂ）に示すように、サムネイル画像ｓｎ２を新たな処理対象画像として表示部２０に表示する。処理はステップＳ１０６に戻る。サムネイル画像ｓｎ２は、複数の画像のうち処理の設定が完了していない２枚目の原稿に対応する画像である。
【００３５】
ステップＳ１０６〜ステップＳ１１２の処理が全ての画像に対して処理の設定が完了するまで実行されることによって、全ての画像に対して処理の設定が行われる。すべての画像に対して処理の設定が行われた結果、図７に示すように、画像Ｇ１および画像Ｇ３は、画像の送信先としてＰＣ＿Ａが設定される。画像Ｇ２は、画像の送信先としてＰＣ＿Ｂが設定される。画像Ｇ４および画像Ｇ５は、画像の送信先としてＰＣ＿Ｃが設定される。画像Ｇ１、画像Ｇ２、画像Ｇ３、画像Ｇ４および画像Ｇ５はそれぞれ、１枚目、２枚目、３枚目、４枚目および５枚目の原稿に対応する画像である。
【００３６】
以上、図１、図２および図５〜図７を参照して説明したように、表示装置１０は、所定操作（フリック操作）によって、複数の画像に対して画像に対する処理を設定することができる。したがって、複数の画像に対して個別に素早く容易に処理の設定を行うことができる。
【００３７】
また、制御部５０は、複数の画像のうち１つの画像を処理対象画像として表示部２０に表示させる。したがって、処理対象画像が比較的大きく表示部２０に表示される。その結果、処理対象画像を視認しやすくなる。
【００３８】
また、制御部５０は、処理対象画像に対する処理の設定が完了すると、複数の画像のうち処理の設定が完了していない１つの画像を新たな処理対象画像として表示部２０に表示させる。したがって、全ての画像に対して処理の設定を行うことができる。
【００３９】
なお、画像読取部１３０によって複数の原稿が読み取られた場合に限って、フリック操作による画像に対しての処理を行う機能を有効とし、読み取った原稿が１枚の場合は、フリック操作による画像に対する処理を行う機能を無効としてもよい。
【００４０】
また、画像読取部１３０によって複数の原稿が読み取られた場合に限って、フリック操作によって画像に対する処理の設定を適用するか否かを選択させるための通知画面を表示部２０に表示してもよい。この場合、ユーザーがフリック操作によって画像に対する処理の設定を適用すると選択した場合に、フリック操作による画像に対する処理を行う機能が有効となる。
【００４１】
なお、図１〜図７を参照して説明した表示装置１０では、原稿に対応する画像の全体を表示部２０に表示していたが、画像の特定の部分を切り取って拡大し、表示部２０に表示してもよい。
【００４２】
図１、図２および図８を参照して、本発明に係る表示装置１０の実施形態を説明する。図８（ａ）は、画像Ｇ１を示す模式図である。図８（ｂ）は、本発明の実施形態に係る表示装置１０を示す模式図である。
【００４３】
記憶部４０は、画像の特定の位置を示す表示指定領域Ｒ１をさらに記憶する。例えば、図８（ａ）に示すように、記憶部４０は、画像Ｇ１のうち右上の部分を表示指定領域Ｒ１として記憶する。
【００４４】
制御部５０は、表示指定領域Ｒ１に基づいて画像の特定の部分を切り取って拡大し、表示部２０に表示させる。例えば、図８（ｂ）に示すように、制御部５０は、画像Ｇ１のうち表示指定領域Ｒ１に対応する右上部分を切り取って拡大し、表示部２０にサムネイル画像ｓｎ１を表示させる。
【００４５】
例えば、原稿が注文書である場合、企業名が記載されている部分（例えば、右上部分）を表示指定領域Ｒ１に設定すると、制御部５０は、企業名の部分をサムネイル画像ｓｎ１として表示部２０に表示させる。制御部５０は、サムネイル画像ｓｎ１を、画像Ｇ１の一部を切り取って拡大しているため、サムネイル画像ｓｎ１は比較的大きく表示部２０に表示される。したがって、ユーザーは、サムネイル画像ｓｎ１を確認し所定操作（フリック操作）によって容易に画像に対する処理の設定を行うことができる。
【００４６】
なお、画像読取部１３０が、複数の原稿の画像を一度に読み取り、画像データを取得してもよい。図１、図２および図９を参照して、本発明に係る画像読取装置１００の実施形態を説明する。図９（ａ）は、原稿台１２０に載置された原稿を示す模式図である。図９（ｂ）は、画像読取部１３０によって取得された画像データＤを示す模式図である。図９（ｃ）は、原稿画像ＭＧ１〜ＭＧ５を示す模式図である。
【００４７】
図９（ａ）に示すように、原稿台１２０に、複数の原稿（原稿Ｍ１〜原稿Ｍ５）を載置して、原稿Ｍ１〜原稿Ｍ５の画像を一度に画像読取部１３０によって読み取って画像データＤを取得する。
【００４８】
図９（ｂ）に示すように、画像データＤには、原稿画像ＭＧ１〜ＭＧ５を示すデータが含まれる。原稿画像ＭＧ１〜ＭＧ５は、それぞれ原稿Ｍ１〜Ｍ５に対応する。
【００４９】
図９（ｃ）に示すように、制御部５０は、画像データＤに含まれる原稿画像ＭＧ１〜ＭＧ５を示すデータを抽出する。そして、制御部５０は、原稿画像ＭＧ１〜ＭＧ５を処理対象画像として決定する。
【００５０】
なお、フリック操作によって、複数の処理項目に対して設定を行うようにしてもよい。図１、図２、図４および図１０を参照して、本発明に係る表示装置１０の実施形態を説明する。図１０（ａ）は、記憶部４０に記憶されている処理設定を示す。図１０（ｂ）は、本発明の実施形態に係る表示装置１０の模式図である。図１０（ｂ）には、方向候補と処理設定との対応付けが記載されている。
【００５１】
処理項目は、第１処理項目と第２処理項目とを含む。本実施形態では、第１処理項目は、「画像の送信先」である。第２処理項目は、「画像の出力カラー」である。
【００５２】
記憶部４０は、複数の方向候補のそれぞれに第１処理項目に対する複数の第１処理設定のうちの１つを対応づけて記憶する。すなわち、図４（ｂ）を参照して説明した対応づけと同様に、方向ＤＵ、すなわち上方向には、送信先「ＰＣ＿Ａ」が対応づけられている。方向ＤＬ、すなわち左方向には、送信先「ＰＣ＿Ｂ」が対応づけられている。方向ＤＲ、すなわち右方向には、送信先「ＰＣ＿Ｃ」が対応づけられている。
【００５３】
また、記憶部４０は、複数の方向候補のそれぞれに第２処理項目に対する複数の第２処理設定のうちの１つを対応づけて記憶する。すなわち、図１０（ｂ）に示すように、方向ＤＵ、すなわち上方向には、出力カラー「カラー」が対応づけられている。方向ＤＬ、すなわち左方向には、出力カラー「グレー」が対応づけられている。方向ＤＲ、すなわち右方向には、出力カラー「モノクロ」が対応づけられている。
【００５４】
制御部５０は、画像に対して第１フリック操作（第１所定操作）が行われたことを判定した際、第１フリック操作方向（第１所定操作方向）に対応づけられた第１処理設定に基づき画像に対する処理の設定を行う。そして、制御部５０は、第１フリック操作（第１所定操作）が行われた後に、画像に対して第２フリック操作（第２所定操作）が行われたことを判定した際、第２フリック操作方向（第２所定操作方向）に対応づけられた第２処理設定に基づき画像に対する処理の設定を行う。
【００５５】
例えば、ユーザーがサムネイル画像ｓｎ１に対して画像の送信先をＰＣ＿Ａに設定し、画像の出力カラーをモノクロに設定する場合について説明する。まず、ユーザーは方向ＤＵ（上方向）へ第１フリック操作を行う。制御部５０は、サムネイル画像ｓｎ１に対して第１フリック操作が行われたことを判定し、方向ＤＵ（上方向）に対応づけられた「ＰＣ＿Ａ」を画像の送信先として設定する。第１フリック操作が行われた後に、ユーザーは方向ＤＲ（右方向）へ第２フリック操作を行う。制御部５０は、サムネイル画像ｓｎ１に対して第２フリック操作が行われたことを判定し、方向ＤＲ（右方向）に対応づけられた「モノクロ」を画像の出力カラーとして設定する。このように、本実施形態では、第１処理項目の「画像の送信先」に加えて、第２処理項目の「画像の出力カラー」の設定を行うことができる。
【００５６】
図１、図２および図１１を参照して、本発明の実施形態に係る画像読取装置１００の処理の設定方法について説明する。図１１は、本発明の実施形態に係る画像読取装置１００の処理の設定方法を示すフローチャートである。図１１に示すステップＳ２０２〜ステップＳ２１０の処理が実行されることによって複数の画像に対して個別に第１処理項目および第２処理項目の設定が行われる。本実施形態では、第１処理項目が「画像の送信先」であり、第２処理項目の「画像の出力カラー」である。
【００５７】
ステップＳ２０２：複数の原稿の画像を読み取る。詳しくは、原稿搬送装置１１０によって複数の原稿Ｍを連続して搬送し、画像読取部１３０が複数の原稿Ｍに形成された画像を読み取り、画像データを取得する。画像データには、複数の画像が含まれる。処理は、ステップＳ２０４に進む。
【００５８】
ステップＳ２０４：画像に対する送信先の処理の設定を行う。詳しくは、図６に示すステップＳ１０４〜ステップＳ１１２の処理が実行されることによって、第１処理項目の「画像の送信先」の設定が行われる。処理はステップＳ２０６に進む。
【００５９】
ステップＳ２０６：制御部５０は、全ての画像に対して送信先の処理の設定が完了したか否かを判定する。制御部５０が、全ての画像に対して送信先の処理の設定が完了していないと判定した場合（ステップＳ２０６：Ｎｏ）、処理はステップＳ２０４に戻る。制御部５０が、全ての画像に対して送信先の処理の設定が完了したと判定した場合（ステップＳ２０６：Ｙｅｓ）、処理はステップＳ２０８に進む。
【００６０】
ステップＳ２０８：画像に対する出力カラーの処理の設定を行う。詳しくは、図６に示すステップＳ１０４〜ステップＳ１１２の処理が実行されることによって、第２処理項目の「画像の送信先」の設定が行われる。処理はステップＳ２１０に進む。
【００６１】
ステップＳ２１０：制御部５０は、全ての画像に対して出力カラーの処理の設定が完了したか否かを判定する。制御部５０が、全ての画像に対して出力カラーの処理の設定が完了していないと判定した場合（ステップＳ２１０：Ｎｏ）、処理はステップＳ２０８に戻る。制御部５０が、全ての画像に対して出力カラーの処理の設定が完了したと判定した場合（ステップＳ２１０：Ｙｅｓ）、処理は終了する。
【００６２】
図１〜図１１を参照して説明したように、表示装置１０では、制御部５０は、表示部２０に１つの画像のみを表示させていたが、制御部５０は、表示部２０に複数の画像を表示させてもよい。
【００６３】
図１、図２および図１２を参照して、本発明に係る表示装置１０の実施形態を説明する。図１２は、本発明の実施形態に係る表示装置１０を示す模式図である。
【００６４】
図１２に示すように、制御部５０は、複数のサムネイル画像ｓｎ１〜ｓｎ５を表示部２０に表示させる。制御部５０は、複数の画像のうちフリック操作（所定操作）が行われたことを判定した画像を処理対象画像と決定する。制御部５０は、処理対象画像に対してフリック操作（所定操作）が行われたことを判定した際、フリック操作方向（所定操作方向）に対応づけられた処理設定に基づき処理対象画像に対する処理の設定を行う。したがって、ユーザーは、複数の画像のうち処理の設定を行いたい画像に対してフリック操作（所定操作）を行うことによって、所望の画像に対して素早く容易に処理の設定を行うことができる。
【００６５】
以上、図面（図１〜図１２）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６６】
（１）図１〜図１２を参照して説明したように、表示装置１０では、制御部５０は、方向候補として４つの方向に設定可能であったが、本発明はこれに限定されない。例えば、制御部５０は、方向候補として８つの方向に設定可能である。例えば、方向候補として「上」、「下」、「左」、「右」「右斜め上」、「右斜め下」、「左斜め下」および「左斜め上」の８つの方向に設定可能である。
【００６７】
（２）図１０を参照して説明したように、表示装置１０では、第１処理項目の方向候補および第２処理項目の方向候補は同じであったが、本発明はこれに限定されない。例えば、第１処理項目の方向候補と第２処理項目の方向候補とは異なってもよい。例えば、第１処理項目の方向候補として「上」、「下」、「左」および「右」とし、第２処理項目の方向候補として「右斜め上」、「右斜め下」、「左斜め下」および「左斜め上」としてもよい。
【００６８】
（３）図１〜図１２を参照して説明したように、表示装置１０は、画像読取装置１００に設けられていたが、本発明はこれに限定されない。例えば、表示装置１０は、スマートフォンまたはタブレット端末でもよい。
【００６９】
（４）図１０および図１１を参照して説明したように、画像読取装置１００の処理の設定方法では、全ての画像に対して第１処理項目の処理の設定が完了してから、全ての画像に対して第２処理項目の処理の設定を行っていたが、本発明はこれに限定されない。例えば、１つの画像に対し第１処理項目の処理の設定をしたのち第２処理項目の処理の設定をし、その後、次の画像に対して第２処理項目の処理の設定を行ってもよい。すなわち、各画像に対して第１処理項目処理の設定および第２処理項目の処理の設定を交互に行うことによって、全ての画像に対して処理の設定が行われてもよい。
【符号の説明】
【００７０】
１０      表示装置
２０      表示部
２２      表示面
３０      検出部
４０      記憶部
５０      制御部
１００    画像読取装置
１３０    画像読取部
Ｇ１、Ｇ２、Ｇ３、Ｇ４、Ｇ５  画像
Ｍ、Ｍ１、Ｍ２、Ｍ３、Ｍ４、Ｍ５  原稿
ＭＧ１、ＭＧ２、ＭＧ３、ＭＧ４、ＭＧ５  原稿画像
Ｒ１      表示指定領域
ｓｎ１、ｓｎ２、ｓｎ３、ｓｎ４、ｓｎ５  サムネイル画像
【図１】
2018121275.tif 000003
【図２】
2018121275.tif 000004
【図３】
2018121275.tif 000005
【図４】
2018121275.tif 000006
【図５】
2018121275.tif 000007
【図６】
2018121275.tif 000008
【図７】
2018121275.tif 000009
【図８】
2018121275.tif 000010
【図９】
2018121275.tif 000011
【図１０】
2018121275.tif 000012
【図１１】
2018121275.tif 000013
【図１２】
2018121275.tif 000014